(57)【要約】      （修正有）【課題】操作精度及び使用寿命を大幅に向上させるポテンショメータ構造を提供する。【解決手段】本ポテンションメータ構造は、ポテンションメータ１本体及び且つ相対滑動接触する抵抗値取得部材を含み、該ポテンションメータ本体は、その絶縁基材１１にアレイ抵抗１２及びピンを設置し、アレイ抵抗が複数の間隔を置いて配列延伸する鍍金導電耐摩耗接続ピン１３を電気接続し、アレイ抵抗外部がパッケージ状態に設けられ、抵抗値取得部材に複数の鍍金導電耐摩耗接続ピン表面に沿って滑動変位定位接触を行わせ、互いに対応する要求値を出力する。本ポテンションメータ本体がパッケージアレイ抵抗設計を採用し、環境要因により生じる酸化破壊を回避し、鍍金導電耐摩耗端子が抗酸化及び耐摩特性を具備し、更に抵抗値取得部材の接点抵抗を低減でき、ポテンションメータに操作精度及び使用寿命を大幅に向上させる。【選択図】図４
0003174742.tif 000002
【実用新案登録請求の範囲】
【請求項１】
ポテンションメータ本体及び相対滑動接触する抵抗値取得部材を含み、
該ポテンションメータ本体の絶縁基材にアレイ抵抗及びピンが設置され、
該アレイ抵抗が複数の間隔を置いて配列延伸する鍍金導電耐摩耗接続ピンと電気的に接続され、
アレイ抵抗がパッケージ状態に設けられ、
抵抗値取得部材に、複数の鍍金導電耐摩耗接続ピン表面に沿って滑動変位定位接触を行わせ、互いに対応する抵抗値を出力することを特徴とするポテンションメータ構造。
【請求項２】
前記複数の鍍金導電耐摩耗接続ピンが絶縁基材表面上に設置され、該アレイ抵抗が複数の鍍金導電耐摩耗接続ピン及び絶縁基材の相対表面上に設置結合される請求項１に記載のポテンションメータ構造。
【請求項３】
前記アレイ抵抗が炭素皮膜抵抗を設け、その外部にパッケージ体を設ける請求項２に記載のポテンションメータ構造。
【請求項４】
前記絶縁基材が第１基層及び相対して重なり合う第２基層を含み、該アレイ抵抗が第１基層上面に設置結合され、複数の鍍金導電耐摩耗接続ピンが第２基層上面に設置結合され、複数の鍍金導電耐摩耗接続ピン及びアレイ抵抗の間にそれぞれ導電接続ピンを電気接続する請求項１に記載のポテンションメータ構造。
【請求項５】
前記アレイ抵抗が炭素皮膜抵抗として設けられる請求項４に記載のポテンションメータ構造。
【請求項６】
前記複数の導電接続ピンの一端がそれぞれ互いに対応する鍍金導電耐摩耗接続ピンに結合し、各導電接続ピンの他端が接続部を設け、それぞれアレイ抵抗上に接触する請求項５に記載のポテンションメータ構造。
【請求項７】
前記第２基層が複数の通孔を設け、互いに対応する導電接続ピンをそれぞれ貫通設置する請求項６に記載のポテンションメータ構造。
【請求項８】
前記第１基層及びそのアレイ抵抗と、第２基層との間にパッケージ体を設置結合し、各導電接続ピンを包囲する請求項４乃至請求項６の何れか１項に記載のポテンションメータ構造。
【考案の詳細な説明】
【技術分野】
【０００１】
本考案は、ポテンションメータ構造に関し、特に、アレイ抵抗を制御し、抵抗値の出力を調整できるポテンションメータに関する。
【背景技術】
【０００２】
現在、広く使用される各電子製品及び電気機器製品において、例えば、電気機器機具、音響、照明、ビデオカメラ製品、コンピュータ設備及びその周辺機器等は、ほとんどがポテンションメータの設置により、各項の電子調整機能を行い、例えば、音量、輝度、信号I/O、電圧、速度等の機能を調整する。
【０００３】
従来のポテンションメータ構造は、そのほとんどが炭素皮膜抵抗方式を用い、円弧形又は任意の形体の基台抵抗帯を製作し、抵抗帯から軟性印刷アレイ銀質接点を延伸し、ポテンション出力ピンが金属弾性片により抵抗帯又は軟性印刷アレイ銀質接点上で摩擦接触を行っている。この種の抵抗値を変更する運動及びその取得方式では、抵抗帯上の炭素顆粒及び軟性印刷アレイ銀質接点を容易に脱落させ、且つ抵抗値取得の運動方式は、軟性印刷銀質接点の延伸変形に短絡を生じさせ、環境要因が炭素顆粒及び銀質接点を酸化破壊し、必要な抵抗値の誤差値が摩擦回数に応じて正比例的に増加し、又は長期摩擦がないことにより酸化現象を起こし、接触不良を招き、設備の制御精度が日増しに悪化する等の深刻な欠陥を招き、設備のメンテナンスの問題及び資源の浪費を引き起こす。
【０００４】
そこで、従来のポテンションメータ技術の不足及び欠陥を如何に解決するかが関連業者の改善を欲する課題の所在となっている。
【先行技術文献】
【特許文献】
【０００５】
【特許文献１】特開２００２−７１６０号公報
【考案の概要】
【考案が解決しようとする課題】
【０００６】
本考案の目的及び使用効果は、ポテンションメータのポテンションメータ本体がパッケージアレイ抵抗設計を採用し、環境要因により生じる酸化破壊を回避し、鍍金導電耐摩耗端子が抗酸化及び耐摩特性を具備し、更に抵抗値取得部材の接点抵抗を低減でき、ポテンションメータに操作精度及び使用寿命を大幅に向上させることにある。
【課題を解決するための手段】
【０００７】
上記の目的を達成する為、本考案のポテンションメータは、ポテンションメータ本体及び且つ相対滑動接触する抵抗値取得部材を含み、該ポテンションメータ本体は、その絶縁基材にアレイ抵抗及びピンを設置し、該アレイ抵抗が複数の間隔を置いて配列延伸する鍍金導電耐摩耗接続ピンを電気接続し、アレイ抵抗がパッケージ状態に設けられ、抵抗値取得部材に複数の鍍金導電耐摩耗接続ピン表面に沿って滑動変位定位接触を行わせ、互いに対応する抵抗値を出力する。
【０００８】
好適実施例において、複数の鍍金導電耐摩耗接続ピンが絶縁基材表面上に設置され、該アレイ抵抗が複数の鍍金導電耐摩耗接続ピン及び絶縁基材の相対表面上に設置結合される。更に、該アレイ抵抗が炭素皮膜抵抗を設け、その外部にパッケージ体を設ける。
好適実施例において、該絶縁基材が第１基層及び相対して重なり合う第２基層を含み、該アレイ抵抗が第１基層上面に設置結合され、複数の鍍金導電耐摩耗接続ピンが第２基層上面に設置結合され、複数の鍍金導電耐摩耗接続ピン及びアレイ抵抗の間にそれぞれ導電接続ピンを電気接続する。更に、第1基層及びそのアレイ抵抗と第２基層との間にパッケージ体を設置結合し、各導電接続ピンを包囲する。
【０００９】
本考案は以下の特徴を有する。
（１）ポテンションメータ本体及び且つ相対滑動接触する抵抗値取得部材を含み、該ポテンションメータ本体は、その絶縁基材にアレイ抵抗及びピンを設置し、該アレイ抵抗が複数の間隔を置いて配列延伸する鍍金導電耐摩耗接続ピンを電気接続し、アレイ抵抗がパッケージ状態に設けられ、抵抗値取得部材に複数の鍍金導電耐摩耗接続ピン表面に沿って滑動変位定位接触を行わせ、互いに対応する抵抗値を出力するポテンションメータ構造。
（２）前記複数の鍍金導電耐摩耗接続ピンが絶縁基材表面上に設置され、該アレイ抵抗が複数の鍍金導電耐摩耗接続ピン及び絶縁基材の相対表面上に設置結合される（１）に記載のポテンションメータ構造。
（３）前記アレイ抵抗が炭素皮膜抵抗を設け、その外部にパッケージ体を設ける（２）に記載のポテンションメータ構造。
（４）前記絶縁基材が第１基層及び相対して重なり合う第２基層を含み、該アレイ抵抗が第１基層上面に設置結合され、複数の鍍金導電耐摩耗接続ピンが第２基層上面に設置結合され、複数の鍍金導電耐摩耗接続ピン及びアレイ抵抗の間にそれぞれ導電接続ピンを電気接続する（１）に記載のポテンションメータ構造。
（５）前記アレイ抵抗が炭素皮膜抵抗として設けられる（４）に記載のポテンションメータ構造。
（６）前記複数の導電接続ピンの一端がそれぞれ互いに対応する鍍金導電耐摩耗接続ピンに結合し、各導電接続ピンの他端が接続部を設け、それぞれアレイ抵抗上に接触する（５）に記載のポテンションメータ構造。
（７）前記第２基層が複数の通孔を設け、互いに対応する導電接続ピンをそれぞれ貫通設置する（６）に記載のポテンションメータ構造。
（８）前記第１基層及びそのアレイ抵抗と、第２基層との間にパッケージ体を設置結合し、各導電接続ピンを包囲する（４）乃至（６）の何れかのポテンションメータ構造。
【考案の効果】
【００１０】
本考案の目的及び使用効果は、ポテンションメータのポテンションメータ本体がパッケージアレイ抵抗設計を採用し、環境要因により生じる酸化破壊を回避し、鍍金導電耐摩耗端子が抗酸化及び耐摩特性を具備し、更に抵抗値取得部材の接点抵抗を低減でき、ポテンションメータに操作精度及び使用寿命を大幅に向上させることにある。
【図面の簡単な説明】
【００１１】
【図１】本考案の好適実施例のポテンションメータの構造図である。
【図２】図１のポテンションメータの局部拡大図である。
【図３】図２のポテンションメータのＡ−Ａ線に沿った断面図である。
【図４】図２のポテンションメータの径方向断面の立体図１である。
【図５】図２のポテンションメータの径方向断面の立体図２である。
【図６】本考案の他の好適実施例のポテンションメータの構造図である。
【図７】図６のポテンションメータの局部拡大図である。
【図８】図７のポテンションメータのＢ−Ｂ線に沿った断面図である。
【図９】図７のポテンションメータの弧方向断面の説明図である。
【図１０】図７のポテンションメータの径方向断面の立体図１である。
【図１１】図７のポテンションメータの径方向断面の立体図２である。
【考案を実施するための形態】
【００１２】
本考案が上記目的を達成する為に採用する技術手段及びその効果について、実施例を挙げ、図面に併せて以下に説明する。
【００１３】
先ず、図１〜図５を参照し、図から明確に分かるように、本考案のポテンションメータは、円弧形状のポテンションメータ本体１、及びポテンションメータ本体１上に相対滑動接触できる抵抗値取得部材２を含み、出力に必要な抵抗値を調整制御させ、そのうち、
該ポテンションメータ本体１は、その絶縁基材１１上に円弧形状又は任意の形体のアレイ抵抗１２及びその両端のピン１２１，１２２を設置し、該アレイ抵抗１２は、複数の間隔を置いて配列延伸する鍍金導電耐摩耗接続ピン１３を電気接続し、且つアレイ抵抗１２外部は、パッケージ状態に設けられる必要がある。図に示すように、複数の鍍金導電耐摩耗接続ピン１３は、絶縁基材１１表面上に電気鍍金設置結合され、アレイ抵抗１２は、  複数の鍍金導電耐摩耗接続ピン１３及び絶縁基材１１の相対表面上に設置結合され、アレイ抵抗１２は、炭素皮膜抵抗を設け、その外部は、エポキシ樹脂類のパッケージ体１４を設けることができる。
【００１４】
該抵抗値取得部材２は、耐摩耗導電弾性片を設けることができ、且つ従来の外部構成部材（図示せず）により作動でき、該抵抗値取得部材２は、抵抗値出力ピン２１を設け、２つの接触点２２により鍍金導電耐摩耗接続ピン１３上に滑動変位定位接触する。
【００１５】
ポテンションメータが実際の使用状態にある時、抵抗取得部材２の抵抗値出力ピン２１は、アレイモジュール１２のピン１２１及び/又はピン１２２の使用を組み合わせることができ、抵抗値取得部材２の複数の鍍金導電耐摩耗接続ピン１３表面に沿って行う滑動変位定位接触を制御することにより、抵抗値出力ピン２１から互いに対応する抵抗値を出力する。抵抗値取得部材２が図１中の反時計回り方向へピン１２１に滑動接近する時、抵抗値出力ピン２１及びピン１２１の両者の間の抵抗値が相対して低減される。また、抵抗値取得部材２は、順時計回り方向へピン１２１から離脱するように滑動する時、抵抗値出力ピン２１及びピン１２１の両者間の抵抗値が相対して増加する。
【００１６】
図６〜図１１に示すもう１つの好適実施例を参照し、本考案のポテンションメータのポテンションメータ本体３は、積層設計を採用し、ポテンションメータ本体３の径方向の幅を減縮し、図に示すように、絶縁基材３１は、第１基層３１１及び上面の互いに重なり合う第２基層３１２を含み、アレイ抵抗３２を炭素皮膜抵抗として設け、第１基層３１１上面に設置結合し、複数の鍍金導電耐摩耗接続ピン３３は、第２基層３１２上面に電気鍍金設置結合され、複数の鍍金導電耐摩耗接続ピン３３及びアレイ抵抗３２の間にそれぞれ導電接続ピン３５を電気接続する。
【００１７】
本考案のポテンションメータの構造設計を引き続き説明し、図８〜図１１に示すように、ポテンションメータ３５の第２基層３１２が複数の通孔３１３を設け、互いに対応する導電接続ピン３５をそれぞれ貫通設置し、複数の導電接続ピン３５の一端を互いに対応する鍍金導電耐摩耗接続ピン３３に溶接結合し、各導電接続ピン３５の他端は、それぞれ接続部３５１を設け、それぞれアレイ抵抗３２の表面上に電気接触する。更に、第１基層３１１及びそのアレイ抵抗３２表面と第２基層３１２との間にエポキシ樹脂パッケージ体３４を設置結合し、アレイ抵抗３２及び各導電接続ピン３５を包囲し、外部環境要因の不利な影響を隔絶する。
【００１８】
上記のように、本考案は、従来のポテンションメータ技術の不足及び欠陥を解決することができ、その鍵となる技術は、ポテンションメータ本体１，３は、アレイ抵抗１２，３２をパッケージする設計を採用し、環境要因により生じる酸化破壊を回避することができ、鍍金導電耐摩耗端子１３，３２が抗酸化及び耐摩耗特性を具備し、抵抗値取得部材２の接点抵抗を低減することができ、ポテンションメータに操作精度及び使用寿命を大幅に向上させる。
【００１９】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２０】
１  ポテンションメータ
１１  絶縁基材
１２  アレイ抵抗
１２１  ピン
１２２  ピン
１３  鍍金導電耐摩耗接続ピン
１４  パッケージ体
２  抵抗値取得部材
２１  抵抗値出力ピン
２２  接触点
３  ポテンションメータ本体
３１  絶縁基材
３１１  第1基層
３１２  第２基層
３１３  通孔
３２  アレイ抵抗
３３  鍍金導電耐摩耗接続ピン
３４  パッケージ体
３５  導電接続ピン
３５１  接続部
【図１】
0003174742.tif 000003
【図２】
0003174742.tif 000004
【図３】
0003174742.tif 000005
【図４】
0003174742.tif 000006
【図５】
0003174742.tif 000007
【図６】
0003174742.tif 000008
【図７】
0003174742.tif 000009
【図８】
0003174742.tif 000010
【図９】
0003174742.tif 000011
【図１０】
0003174742.tif 000012
【図１１】
0003174742.tif 000013